(57)【要約】【課題】通信データの喪失のないハンドオーバを実現する。【解決手段】第１の前記基地局装置は、移動局装置と通信接続した状態で、移動局装置に対して通信データを送信する通信データ送信手段と、移動局装置の次の接続対象となる第２の基地局装置へ、移動局装置に対して送信すべき通信データを、第２の基地局装置へ転送する転送手段と、を備え、第２の基地局装置は、移動局装置が第２の基地局装置に対して当該第２の基地局装置へ接続するための要求をするまで、第１の基地局装置から転送された通信データを一時的に記憶する記憶手段を備える。【選択図】図２
2011010364.tif 000002
【特許請求の範囲】
【請求項１】
移動局装置と、複数の基地局装置と、を含み、前記移動局装置は前記複数の基地局装置のいずれか少なくとも１つとの通信を行う通信システムにおいて、
第１の前記基地局装置は、
前記移動局装置と通信接続した状態で、前記移動局装置に対して通信データを送信する通信データ送信手段と、
前記移動局装置の次の接続対象となる第２の前記基地局装置へ、前記移動局装置に対して送信すべき通信データを、前記第２の基地局装置へ転送する転送手段と、
を備え、
前記第２の基地局装置は、
前記移動局装置が前記第２の基地局装置に対して当該第２の基地局装置へ接続するための要求をするまで、前記第１の基地局装置から転送された通信データを一時的に記憶する記憶手段と、
前記移動局装置が前記第２の基地局装置に対して当該第２の基地局装置へ接続するための要求をした場合には、前記記憶手段に一時的に記憶された通信データを、前記移動局装置へ送信する一時記憶通信データ送信手段と、
を備える、ことを特徴とする通信システム。
【請求項２】
請求項１に記載の通信システムにおいて、
前記移動局装置は、
前記複数の基地局装置のうち、ハンドオーバの可能性がある基地局装置を示す情報を送信する基地局装置特定情報送信手段を備え、
前記転送手段は、前記通信データ送信手段により送信すべき通信データを、前記基地局装置特定情報により示される基地局装置に対し転送する、
ことを特徴とする通信システム。
【請求項３】
移動局装置と、複数の基地局装置と、を含み、前記移動局装置が前記複数の基地局装置のいずれか少なくとも１つとの通信を行う移動体通信システムにおける通信制御方法であって、
第１の前記基地局装置が、前記移動局装置と通信接続した状態で、前記移動局装置に対して通信データを送信するステップと、
前記第１の基地局装置が、前記移動局装置の次の接続対象となる第２の前記基地局装置へ、前記移動局装置に対して送信すべき通信データを、前記第２の基地局装置へ転送するステップと、
前記移動局装置が前記第２の基地局装置に対して当該第２の基地局装置へ接続するための要求をするまで、前記第２の基地局装置が前記第１の基地局装置から転送された通信データを一時的に記憶するステップと、
前記移動局装置が前記第２の基地局装置に対して当該第２の基地局装置へ接続するための要求をした場合には、前記第２の基地局装置が、一時的に記憶された前記通信データを、前記移動局装置へ送信するステップと、
を含む、ことを特徴とする通信制御方法。
【発明の詳細な説明】
【技術分野】
【０００１】
本発明は通信システム及び通信制御方法に関する。
【背景技術】
【０００２】
移動体通信システムでは、移動局装置のハンドオーバ処理が行われる。このハンドオーバ処理は、例えば移動局装置が基地局装置Ａのエリアから基地局装置Ｂのエリアに移動する際、移動局装置が基地局装置Ａと行っていた通信データの送受信を基地局装置Ｂが引き継ぐための処理である。従来、この引き継ぎの際に通信データの喪失（移動局装置において受信できないこと）が発生しないよう、種々の技術が提案されてきた。
【０００３】
特許文献１には、そのうちのひとつが記載されている。特許文献１に記載の技術では、アクセスノード（加入者階梯交換機）間のハンドオーバが行われる際に、下りパケット（基地局装置から移動局装置に対して送信されるパケット）の喪失が発生しないようにしている。
【０００４】
この技術について、以下具体的に説明する。特許文献１に記載の移動体通信システムでは、関門交換機は、下りパケットを複数のアクセスノードに予め送信しておく。ある移動局装置がアクセスノードＡのエリアからアクセスノードＢのエリアに移動する際、関門交換機は、その移動局装置がエリアの重畳部分に入った時点で、アクセスノードＡ及びアクセスノードＢの双方から下りパケットを送信するようにする。これにより、移動局装置がさらに移動してアクセスノードＡからの下りパケットを受信できなくなったとしても、そのときにはアクセスノードＢからの下りパケットを受信することができるので、下りパケットの喪失が発生しないのである。
【先行技術文献】
【特許文献】
【０００５】
【特許文献１】特開２００４−１２８５５１号公報（第００１０段落及び第００１１段落）
【発明の概要】
【発明が解決しようとする課題】
【０００６】
しかしながら、上記特許文献１に記載の技術では、通信データの２重送信が発生しており、無線リソースの有効利用がなされていない。すなわち、複数の基地局装置から同時に同じ下りパケットを送信しており、移動局装置により受信された下りパケット以外は受信されないこととなるので、結果的に無線リソースの有効利用がなされていないことになる。
【０００７】
従って、本発明の課題の一つは、無線区間で通信データの２重送信を極力発生させることなく、通信データの喪失のないハンドオーバを実現する通信システム及び通信制御方法を提供することにある。
【課題を解決するための手段】
【０００８】
上記課題を解決するための本発明に係る通信システムは、移動局装置と、複数の基地局装置と、を含み、前記移動局装置は前記複数の基地局装置のいずれか少なくとも１つとの通信を行う通信システムにおいて、第１の前記基地局装置は、前記移動局装置と通信接続した状態で、前記移動局装置に対して通信データを送信する通信データ送信手段と、前記移動局装置の次の接続対象となる第２の前記基地局装置へ、前記移動局装置に対して送信すべき通信データを、前記第２の基地局装置へ転送する転送手段と、を備え、前記第２の基地局装置は、前記移動局装置が前記第２の基地局装置に対して当該第２の基地局装置へ接続するための要求をするまで、前記第１の基地局装置から転送された通信データを一時的に記憶する記憶手段と、前記移動局装置が前記第２の基地局装置に対して当該第２の基地局装置へ接続するための要求をした場合には、前記記憶手段に一時的に記憶された通信データを、前記移動局装置へ送信する一時記憶通信データ送信手段と、を備える、ことを特徴とする。
【０００９】
また、本願発明に係る通信システムは、前記移動局装置は、前記複数の基地局装置のうち、ハンドオーバの可能性がある基地局装置を示す情報を送信する基地局装置特定情報送信手段を備え、前記転送手段は、前記通信データ送信手段により送信すべき通信データを、前記基地局装置特定情報により示される基地局装置に対し転送する、ことを特徴とする。
【００１０】
また、本願発明に係る通信制御方法は、移動局装置と、複数の基地局装置と、を含み、前記移動局装置が前記複数の基地局装置のいずれか少なくとも１つとの通信を行う移動体通信システムにおける通信制御方法であって、第１の前記基地局装置が、前記移動局装置と通信接続した状態で、前記移動局装置に対して通信データを送信するステップと、前記第１の基地局装置が、前記移動局装置の次の接続対象となる第２の前記基地局装置へ、前記移動局装置に対して送信すべき通信データを、前記第２の基地局装置へ転送するステップと、前記移動局装置が前記第２の基地局装置に対して当該第２の基地局装置へ接続するための要求をするまで、前記第２の基地局装置が前記第１の基地局装置から転送された通信データを一時的に記憶するステップと、前記移動局装置が前記第２の基地局装置に対して当該第２の基地局装置へ接続するための要求をした場合には、前記第２の基地局装置が、一時的に記憶された前記通信データを、前記移動局装置へ送信するステップと、を含む、ことを特徴とする。
【００１１】
また、本願発明者が考えた移動体通信システムは、移動局装置と、複数の基地局装置と、を含み、前記移動局装置は前記複数の基地局装置のいずれか少なくとも１つとの通信を行う移動体通信システムにおいて、第１の前記基地局装置は、前記移動局装置に対して、複数の通信データを順次送信する通信データ送信手段、を含み、前記移動局装置は、前記通信データを受信した場合に、該通信データの受信確認を送信する受信確認送信手段、を含み、前記通信データ送信手段は、前記複数の通信データを順次送信する際、既に送信した通信データについて前記受信確認が受信されたのを確認した後、次の通信データを送信し、前記移動局装置は、第２の前記基地局装置に対してハンドオーバ要求を送信するハンドオーバ要求送信手段、を含み、前記第１の基地局装置は、前記送信手段により送信した通信データについて、前記受信確認が受信されない場合、最後に受信確認を受信した通信データを示す最後送信通信データ情報を送信する最後送信通信データ情報送信手段、をさらに含み、前記第２の基地局装置は、前記ハンドオーバ要求を受信した場合、前記最後送信通信データ情報により示される通信データの次に送信されるべき通信データから順次前記複数の通信データを送信する通信データ送信手段、を含む、ことを特徴とする。
【００１２】
これによれば、基地局装置は最後に送信した通信データを示す最後送信通信データ情報をハンドオーバ先の基地局装置へ送信しているので、無線区間で通信データの２重送信を極力発生させることなく、通信データの喪失のないハンドオーバを実現することができる。
【００１３】
また、上記移動体通信システムにおいて、前記第１の基地局装置は、前記通信データ送信手段により送信すべき通信データを、前記第２の基地局装置に対し転送する転送手段、をさらに含む、こととしてもよい。
【００１４】
これによれば、第２の基地局装置は、予め転送されていた通信データの中から、前記最後送信通信データ情報により示される通信データの次に送信されるべき通信データ以降の通信データを抜き出し、順次移動局装置に対して送信することができる。
【００１５】
また、この移動体通信システムにおいて、前記移動局装置は、前記複数の基地局装置のうち、ハンドオーバの可能性がある基地局装置を特定する基地局装置特定手段、前記第１の基地局装置に対し、前記基地局装置特定手段により特定した基地局装置を示す基地局装置特定情報を送信する基地局装置特定情報送信手段と、をさらに含み、前記転送手段は、前記通信データ送信手段により送信すべき通信データを、前記基地局装置特定情報により示される基地局装置に対し転送する、こととしてもよい。
【００１６】
これによれば、第１の基地局装置は、通信中の移動局装置がハンドオーバ先となる可能性のある基地局装置に、通信データを転送しておくことができる。
【００１７】
また、本願発明者が考えた基地局装置は、移動局装置に対して複数の通信データを順次送信する通信データ送信手段と、前記通信データ送信手段により送信した通信データについて、最後に前記移動局装置に送信した通信データを示す最後送信通信データ情報をネットワーク側へ送信する最後送信通信データ情報送信手段と、を含むことを特徴とする。
【００１８】
また、本願発明者が考えたハンドオーバ方法は、移動局装置と、複数の基地局装置と、を含み、前記移動局装置は前記複数の基地局装置のいずれか少なくとも１つとの通信を行う移動体通信システムにおいて、通信データの喪失のないハンドオーバを行うためのハンドオーバ方法であって、当該ハンドオーバ方法は、第１の前記基地局装置が、前記移動局装置に対して、複数の通信データを順次送信する通信データ送信ステップと、前記移動局装置が前記通信データを受信した場合に、該通信データの受信確認を送信する受信確認送信ステップと、を含み、前記通信データ送信ステップは、前記複数の通信データを順次送信する際、既に送信した通信データについて前記受信確認が受信されたのを確認した後、次の通信データを送信し、当該ハンドオーバ方法は、前記移動局装置が、第２の前記基地局装置に対してハンドオーバ要求を送信するハンドオーバ要求送信ステップと、前記第１の基地局装置が、前記送信手段により送信した通信データについて、前記受信確認が受信されない場合、最後に受信確認を受信した通信データを示す最後送信通信データ情報を送信する最後送信通信データ情報送信ステップと、前記第２の基地局装置が、前記ハンドオーバ要求を受信した場合、前記最後送信通信データ情報により示される通信データの次に送信されるべき通信データから順次前記複数の通信データを送信する通信データ送信ステップと、をさらに含む、ことを特徴とする。
【発明の効果】
【００１９】
通信中の移動局装置の次の接続先となる可能性のある基地局装置に、通信データを転送しておくことができ、通信データの喪失のないハンドオーバを実現することができる。
【図面の簡単な説明】
【００２０】
【図１】本発明の実施の形態に係る移動体通信システムのシステム構成を示す図である。
【図２】本発明の実施の形態に係る移動体通信システムの機能ブロックを示す図である。
【図３】本発明の実施の形態に係る移動体通信システムのシーケンスを示す図である。
【発明を実施するための形態】
【００２１】
本発明の実施の形態について、図面を参照しながら説明する。
【００２２】
図１は、本実施の形態に係る移動体通信システム１のシステム構成を示す図である。同図に示すように、本実施の形態に係る移動体通信システム１は、移動局装置１０と、複数の基地局装置２０と、ＰＤＳＮ(Packet Data Serving Node、パケット交換機)３０と、通信ネットワーク４０と、を含んで構成される。
【００２３】
移動局装置１０は、ＣＰＵ、メモリ、及び通信インターフェイスを備えたコンピュータである。ＣＰＵは、移動局装置１０の各部を制御し、通話、データ通信などの通信に関わる処理を実行する。メモリは、ＣＰＵのワークメモリとして動作するとともに、ＣＰＵによって行われる各種処理に関わるプログラムやパラメータを保持している。
【００２４】
通信インターフェイスは、アンテナを備えており、基地局装置２０から送信される通信信号や制御信号を受信しＣＰＵに出力する処理や、ＣＰＵの指示に従い、通信信号や制御信号を無線区間に電波として送出する処理を行う。
【００２５】
基地局装置２０も、ＣＰＵ、メモリ、及び通信インターフェイスを備えたコンピュータである。ＣＰＵは、基地局装置２０の各部を制御し、通話、データ通信などの通信に関わる処理を実行する。メモリは、ＣＰＵのワークメモリとして動作するとともに、ＣＰＵによって行われる各種処理に関わるプログラムやパラメータを保持している。
【００２６】
基地局装置２０は、通信インターフェイスとして、アンテナを備えた無線通信インターフェイスと、有線インターフェイスとを有している。無線通信インターフェイスは、移動局装置１０から送信される通信信号や制御信号を受信しＣＰＵに出力する処理や、ＣＰＵの指示に従い、通信信号や制御信号を無線区間に電波として送出する処理を行う。有線インターフェイスは、通信ネットワーク４０や他の基地局装置２０から送信される通信信号や制御信号をＰＤＳＮ３０経由で受信しＣＰＵに出力する処理や、ＣＰＵの指示に従い、通信信号や制御信号を、ＰＤＳＮ３０を介して通信ネットワーク４０や他の基地局装置２０に送信する処理を行う。なお、基地局装置２０は、自ら通信信号や制御信号を生成する他、通信信号や制御信号を転送する処理も行う。
【００２７】
ＰＤＳＮ３０も、ＣＰＵ、メモリ、及び通信インターフェイスを備えたコンピュータである。ＣＰＵは、ＰＤＳＮ３０の各部を制御し、通話、データ通信などの通信に関わる処理を実行する。メモリは、ＣＰＵのワークメモリとして動作するとともに、ＣＰＵによって行われる各種処理に関わるプログラムやパラメータを保持している。
【００２８】
通信インターフェイスは、通信ネットワーク４０や基地局装置２０から送信される通信信号や制御信号を受信してＣＰＵに出力する処理や、ＣＰＵの指示に従い、通信信号や制御信号を、通信ネットワーク４０や基地局装置２０に送信する処理を行う。なお、ＰＤＳＮ３０も、自ら通信信号や制御信号を生成する他、通信信号や制御信号を転送する処理も行う。
【００２９】
通信ネットワーク４０は、交換ネットワークやＴＣＰ／ＩＰネットワークである。この通信ネットワーク４０には複数のコンピュータが接続されており（不図示）、通信ネットワーク４０は、これら相互間の通信を中継する。
【００３０】
各基地局装置２０は、それぞれ移動局装置１０と通信可能な地理的範囲（エリア）を有している。隣接する基地局装置２０のエリア同士は重複する部分を有する場合もある。
【００３１】
移動局装置１０は、エリアの重複地点にいるとき、複数の基地局装置２０がそれぞれ送信する制御信号を受信する。この制御信号は一斉報知信号と呼ばれるものであり、基地局装置２０は、エリア内に存在する全ての移動局装置１０が受信するよう、この一斉報知信号を送信している。なお、この一斉報知信号には、基地局装置２０ごとに一意な基地局装置識別情報が含まれており、移動局装置１０はこの基地局装置識別情報に基づき、どの基地局装置２０から送信された一斉報知信号であるかを識別している。移動局装置１０は、これらの一斉報知信号のうち、最も受信感度がよいものを送信している基地局装置２０と通信を行う。
【００３２】
また、移動局装置１０はある基地局装置２０と通信している間、その通信に係る受信信号（通信中局受信信号）の受信感度と、他の０以上の基地局装置２０から受信される一斉報知信号（他局受信信号）の受信感度と、を定期的に取得する。移動局装置１０は、通信中局受信信号の受信感度が悪くなった場合、受信している他局受信信号のうち、最も受信感度のよいものを送信している基地局装置２０にハンドオーバする処理を行う。
【００３３】
本実施の形態では、無線区間で通信データの２重送信を極力発生させることなく、通信データを喪失することなく、このハンドオーバを実現する。以下、このための構成の詳細について説明する。なお、以下では、移動局装置１０は、通信信号としてＲＴＰ(Real-time Transport Protocol、リアルタイム転送プロトコル)パケットを利用し、このＲＴＰパケットを利用したＶｏＩＰ(Voice over IP、ＩＰ音声通信)により音声通信を行うものとして説明する。また、以下では、この音声通信に係るＲＴＰパケットのうち、下りＲＴＰパケット（基地局装置２０から移動局装置１０に対し送信されるＲＴＰパケット）について説明する。
【００３４】
図２は、移動体通信システム１の機能ブロックを示す図である。同図に示すように、移動局装置１０は機能的に、無線送受信部１１、通信データ取得部１２、受信確認生成部１３、基地局装置特定部１４、ハンドオーバ決定部１５を含んで構成される。また、基地局装置２０は機能的に、有線送受信部２１、通信データ取得部２２、無線送受信部２３を含んで構成されるとともに、ハンドオーバ元機能部５０とハンドオーバ先機能部６０とを有している。
【００３５】
ハンドオーバ元機能部５０は、ハンドオーバ元の基地局装置２０として機能する機能部であり、有線送受信部２１、通信データ取得部２２、無線送受信部２３の他、基地局装置特定情報受信部５１、最後送信通信データ情報送信部５２を含んで構成される。ハンドオーバ先機能部６０は、ハンドオーバ先の基地局装置２０として機能する機能部であり、有線送受信部２１、通信データ取得部２２、無線送受信部２３の他、ハンドオーバ仮登録要求受信部６１、一時記憶部６２、ハンドオーバ要求受信部６３、最後送信通信データ情報受信部６４を含んで構成される。
【００３６】
まず、下りパケットを送受信するための構成について説明する。
【００３７】
有線送受信部２１は、ＰＤＳＮ３０から通信信号としてのＲＴＰパケットや制御信号を受信し、通信データ取得部２２に出力する。このＲＴＰパケットは、所定量の通信データを含むパケットであり、通常、複数のＲＴＰパケットが順次受信される。
【００３８】
通信データ取得部２２は、有線送受信部２１から順次入力されるＲＴＰパケットを取得し、無線送受信部２３に順次出力する。また、通信データ取得部２２は、有線送受信部２１から入力される制御信号に応じた処理を行い、必要に応じ制御信号を生成し、有線送受信部２１又は無線送受信部２３に出力する。
【００３９】
無線送受信部２３は、入力されたＲＴＰパケットを、無線区間のパケットにより順次カプセリングし、移動局装置１０に対し順次送信する。また、通信データ取得部２２から入力された制御信号を、移動局装置１０に対し送信する。
【００４０】
無線送受信部１１は、基地局装置２０が送信したパケットや制御信号を順次受信することにより、制御信号及び複数のＲＴＰパケットを受信し、通信データ取得部１２に出力する。
【００４１】
通信データ取得部１２は、無線送受信部１１から順次入力されるＲＴＰパケットを取得し、該ＲＴＰパケットに基づいて音声データを生成する。通信データ取得部１２は、図示しない音声出力手段に、生成した音声データを順次出力する。また、通信データ取得部１２は、無線送受信部１１から入力される制御信号に応じた処理を行い、必要に応じ制御信号を生成し、無線送受信部１１に出力する。
【００４２】
受信確認生成部１３は、通信データ取得部１２がＲＴＰパケットを取得した場合に、ＲＴＰパケットごとに受信確認を示す受信確認パケット（Ａｃｋ）を生成し、通信データ取得部１２に出力する。通信データ取得部１２は、入力された受信確認パケットを無線送受信部１１に出力する。
【００４３】
無線送受信部１１は、通信データ取得部１２から入力された受信確認パケットを無線区間のパケットによりカプセリングし、基地局装置２０に対して送信する。
【００４４】
無線送受信部２３は、移動局装置１０が送信したパケットや制御信号を順次受信することにより、制御信号及び受信確認パケットを受信し、通信データ取得部２２に出力する。
【００４５】
通信データ取得部２２は、ＲＴＰパケットを無線送受信部２３に順次出力する際、既に送信したＲＴＰパケットについて上記受信確認パケットが入力されたのを確認した後、次のＲＴＰパケットを出力する。つまり、通信データ取得部２２は、１つずつ受信確認パケットの受信を確認してからＲＴＰパケットを出力するようにしている。
【００４６】
移動体通信システム１では、以上のようにして、下りＲＴＰパケットの送受信がなされる。
【００４７】
基地局装置２０は、このようにして送信している下りＲＴＰパケットを、他の基地局装置２０に転送する。以下では、このＲＴＰパケット転送処理に係る構成について説明する。まず、移動局装置１０と通信中の基地局装置２０に関する構成について説明する。
【００４８】
基地局装置特定部１４は、複数の基地局装置２０のうち、ハンドオーバの可能性がある基地局装置２０を特定する。具体的には、基地局装置特定部１４は、まず、通信データ取得部１２を介して、各基地局装置２０が送信している上記一斉報知信号を受信する。そして、基地局装置特定部１４は、このようにして受信している一斉報知信号を送信した基地局装置２０の全部若しくは一部を、ハンドオーバの可能性がある基地局装置として特定する。基地局装置の特定を行うと、基地局装置特定部１４は、該特定した基地局装置２０を示す基地局装置特定情報を生成し、通信データ取得部１２に出力する。
【００４９】
通信データ取得部１２は、基地局装置特定情報を制御信号のひとつとして無線送受信部１１に出力する。無線送受信部１１は、入力された基地局装置特定情報を、通信中の基地局装置２０に対して送信する。
【００５０】
基地局装置特定情報受信部５１は、通信データ取得部２２を介して、基地局装置特定情報を受信する。そして、基地局装置特定情報受信部５１は、通信データ取得部２２に対し、移動局装置１０に対して送信しているＲＴＰパケットを、この基地局装置特定情報により特定される基地局装置２０へ転送するよう、指示する。
【００５１】
通信データ取得部２２は、この指示を受け、移動局装置１０へ送信するために順次取得しているＲＴＰパケットを、基地局装置特定情報により特定される基地局装置２０へ、有線送受信部２１を介して順次転送する。
【００５２】
次に、移動局装置１０が基地局装置特定情報により特定した基地局装置２０に関する構成について説明する。
【００５３】
基地局装置特定部１４は、特定した基地局装置２０に対し、通信データ取得部１２を介して、ハンドオーバ仮登録要求を送信する。このハンドオーバ仮登録要求も制御信号のひとつであり、移動局装置１０ごとに一意な移動局装置識別情報であって、当該移動局装置１０を識別するための移動局装置識別情報と、上記基地局装置識別情報であって、当該移動局装置１０と通信中の基地局装置２０を識別するための基地局装置識別情報と、を含んでいる。
【００５４】
ハンドオーバ仮登録要求受信部６１は、通信データ取得部２２を介して、移動局装置１０が送信したハンドオーバ仮登録要求を受信する。ハンドオーバ仮登録要求受信部６１は、ハンドオーバ仮登録要求を受信すると、該ハンドオーバ仮登録要求に含まれる基地局装置識別情報により識別される基地局装置２０が、該ハンドオーバ仮登録要求に含まれる移動局装置識別情報により識別される移動局装置１０について転送したＲＴＰパケットを順次記憶するよう、一時記憶部６２に指示する。
【００５５】
一時記憶部６２は、所定数のＲＴＰパケットを記憶可能に構成されており、ハンドオーバ仮登録要求受信部６１からの指示に従い、通信データ取得部２２において取得されるＲＴＰパケットを、上記移動局装置識別情報に対応付けて、先入れ先出し（ＦＩＦＯ）で順次記憶する。
【００５６】
移動体通信システム１では、以上のようにして、ＲＴＰパケットの転送処理がなされる。
【００５７】
次に、移動局装置１０がハンドオーバを開始すると、ハンドオーバ元の基地局装置２０は、最後に送信完了したＲＴＰパケットを示す最後送信通信データ情報を、ハンドオーバ先の基地局装置２０に対して送信する。以下、このための構成について説明する。
【００５８】
ハンドオーバ決定部１５は、通信中の基地局装置２０から受信している制御信号やパケットの、無線送受信部１１における受信電力を監視している。すなわち、ハンドオーバ決定部１５はこの制御信号を上記通信中局受信信号として使用する。また、ハンドオーバ決定部１５は、上述の一斉報知信号の受信電力も監視している。すなわち、ハンドオーバ決定部１５はこの一斉報知信号を上記他局受信信号として使用する。
【００５９】
ハンドオーバ決定部１５は、通信中局受信信号の受信電力が小さくなると、受信している他局受信信号のうち、最も受信電力が大きいものにハンドオーバすることを決定する。このようにしてハンドオーバすることを決定すると、ハンドオーバ決定部１５は、ハンドオーバ要求を生成し、通信データ取得部２２に出力する。
【００６０】
通信データ取得部２２は、このハンドオーバ要求を制御信号のひとつとして無線送受信部１１に出力する。無線送受信部１１は、入力された基地局装置特定情報を、ハンドオーバ先の基地局装置２０に対して送信する。
【００６１】
このようにしてハンドオーバすることが決定される状況では、移動局装置１０は、通信中の基地局装置２０が送信しているＲＴＰパケットを受信できなくなる。または、移動局装置１０がＲＴＰパケットを受信できたとしても、基地局装置２０において該ＲＴＰパケットに対する受信確認パケットが受信できなくなる。
【００６２】
通信データ取得部２２は、ＲＴＰパケットを無線送受信部２３に出力してから、所定時間該ＲＴＰパケットに対する受信確認パケットを待機する。この所定時間がタイムアウトした場合、最後送信通信データ情報送信部５２は、最後に受信確認パケットが受信されたＲＴＰパケットを示す最後送信通信データ情報を生成し、通信データ取得部２２を介して、基地局装置特定情報により特定されている基地局装置２０に対し送信する。
【００６３】
なお、通信データ取得部２２は、順次ＲＴＰパケットを転送する処理を、上記最後送信通信データ情報の送信後、一定時間後に中止することが好適である。
【００６４】
移動体通信システム１では、以上のようにして、ハンドオーバの開始、及びハンドオーバ元の基地局装置２０からの最後送信通信データ情報の送信がなされる。
【００６５】
次に、ハンドオーバ先となる基地局装置２０がハンドオーバ要求を受け入れるための構成について説明する。
【００６６】
ハンドオーバ要求受信部６３は、通信データ取得部２２を介して、移動局装置１０が送信したハンドオーバ要求を受信する。ハンドオーバ要求を受信すると、ハンドオーバ要求受信部６３は、移動局装置１０との間で通信チャネル割当処理を開始する。また、ハンドオーバ要求受信部６３は、ＰＤＳＮ３０に対し、ハンドオーバ元の基地局装置２０に対して送信していた、移動局装置１０に対して送信すべきＲＴＰパケット及び制御信号を、以後はハンドオーバ先となる当該基地局装置２０に送信するよう、指示する。さらに、ハンドオーバ要求受信部６３は、最後送信通信データ情報受信部６４に対し、最後送信通信データ情報の受信を待機するよう指示する。
【００６７】
最後送信通信データ情報受信部６４は、ハンドオーバ要求受信部６３の指示に従い、最後送信通信データ情報の受信を待機する。この待機中に通信データ取得部２２を介して最後送信通信データ情報を受信すると、最後送信通信データ情報受信部６４は、受信した最後送信通信データ情報により示されるＲＴＰパケット（ハンドオーバ元の基地局装置２０において最後に受信確認パケットが受信されたＲＴＰパケット）を示すＲＴＰパケット特定情報を通信データ取得部２２に出力する。
【００６８】
通信データ取得部２２は、一時記憶部６２に順次記憶されるＲＴＰパケットの中から、入力されたＲＴＰパケット特定情報により示されるＲＴＰパケットの次のＲＴＰパケット以降に記憶されているＲＴＰパケットを取得する。
【００６９】
通信データ取得部２２は、ＰＤＳＮ３０からＲＴＰパケットが入力されるようになるまでの間、一時記憶部６２に記憶されているＲＴＰパケットを、移動局装置１０に対して送信する。ＰＤＳＮ３０からＲＴＰパケットが入力されるようになった後は、一時記憶部６２に記憶されるＲＴＰパケットを消去するとともに、一時記憶部６２による順次記憶を中止する。
【００７０】
以上のようにして、ハンドオーバ先の基地局装置２０は、ハンドオーバ要求を受け入れる。
【００７１】
以上説明した移動体通信システム１により行われる処理を、移動体通信システム１のシーケンスを参照しながら、再度より詳細に説明する。
【００７２】
図３は、移動体通信システム１のシーケンスを示す図である。同図では、まず基地局装置２０Ａを介して、移動局装置１０とＰＤＳＮ３０との間でＲＴＰパケットの送受信がなされる（Ｓ１）。移動局装置１０は、このＲＴＰパケットの送受信がなされている間、ハンドオーバ先候補の基地局装置２０を特定し（Ｓ２）、特定した基地局装置２０に対しハンドオーバ仮登録要求を送信する（Ｓ３）。なおここでは、特定された基地局装置２０は基地局装置２０Ｂであるとする。基地局装置２０Ｂは、ハンドオーバ仮登録要求を受信し、基地局装置２０ＡからのＲＴＰパケットの転送を受け入れる準備を行う。この準備が完了すると、基地局装置２０Ｂは、ハンドオーバ仮登録応答を移動局措置１０に返送する（Ｓ４）。
【００７３】
移動局装置１０は、また、基地局装置２０Ａに対し、基地局装置２０Ｂを示す基地局装置特定情報を送信する（Ｓ５）。これを受けた基地局装置２０Ａは、移動局装置１０へ送信しているＲＴＰパケットをコピーし、基地局装置２０Ｂに対して転送する（Ｓ６）。基地局装置２０Ｂは、転送されたＲＴＰパケットを一時的に記憶する（Ｓ７）。
【００７４】
続いて、移動局装置１０が基地局装置２０Ｂにハンドオーバすることを決定する（Ｓ８）。この決定をした移動局装置１０は、基地局装置２０Ｂに対し、ハンドオーバ要求を送信する（Ｓ９）。基地局装置２０Ｂは、ハンドオーバ要求を受信し、ハンドオーバのための処理を開始する。そのひとつとして、基地局装置２０Ｂは、移動局装置１０を示すハンドオーバ要求をＰＤＳＮ３０に対して送信する（Ｓ１０）。ＰＤＳＮ３０は、ハンドオーバ要求を受信すると、ハンドオーバ応答を返送する（Ｓ１１）とともに、基地局装置２０Ａに対して送信していた、移動局装置１０に対して送信すべきＲＴＰパケットを、基地局装置２０Ｂに対して送信するようにする。
【００７５】
基地局装置２０Ｂは、ハンドオーバのための処理が完了すると、移動局装置１０に対し、ハンドオーバ応答を返送する（Ｓ１２）。
【００７６】
一方、このハンドオーバのための処理が行われている間に、基地局装置２０Ａは、最後送信通信データ情報を取得し（Ｓ１３）、基地局装置２０Ｂに対して送信する（Ｓ１４）。この最後送信通信データ情報を受信した基地局装置２０Ｂは、ハンドオーバのための処理が完了していなくとも、一時記憶していたＲＴＰパケットの中から、最後送信通信データ情報により示されるＲＴＰパケットの次のＲＴＰパケット以降のＲＴＰパケットを順次読み出し、移動局装置１０に対して送信する（Ｓ１５）。なお、ハンドオーバのための処理が完了すると、基地局装置２０Ｂを介して、移動局装置１０とＰＤＳＮ３０との間でのＲＴＰパケットの送受信が開始される（Ｓ１６）。
【００７７】
以上説明したように、移動体通信システム１によれば、ハンドオーバ元の基地局装置２０は最後に送信した通信データを示す最後送信通信データ情報をハンドオーバ先の基地局装置２０へ送信しているので、無線区間で通信データの２重送信を極力発生させることなく、通信データの喪失のないハンドオーバを実現することができる。
【００７８】
また、ハンドオーバ先の基地局装置２０は、予め転送されていた通信データの中から、最後送信通信データ情報により示される通信データの次に送信されるべき通信データ以降の通信データを抜き出し、順次移動局装置１０に対して送信することができる。
【００７９】
さらに、ハンドオーバ元の基地局装置２０は、通信中の移動局装置１０がハンドオーバ先となる可能性のある基地局装置２０に、通信データを転送しておくことができる。
【００８０】
なお、上記実施形態のように本発明をＶｏＩＰに適用する場合、ＶｏＩＰを実現する移動局装置にはジッタバッファが搭載されていることが多い。このジッタバッファにより、ハンドオーバ元の基地局装置からハンドオーバ先の基地局装置へＲＴＰパケットが転送されることによる遅延（１００ｍｓ程度）は吸収されることになる。
【００８１】
また、例えば、上記実施の形態では下りパケットについて説明したが、さらに上りパケットについても無線区間で通信データの２重送信を極力発生させることなく、通信データの喪失のないハンドオーバを実現することとしてもよい。この場合、移動局装置は自身の判断でハンドオーバをするのであるから、ハンドオーバが必要であると認識したときに、移動局装置が送信を一時待機することとすればよい。
【００８２】
なお、本発明は上記実施の形態に限定されるものではない。例えば、上記実施の形態では通信データとしてＲＴＰパケットを使用したが、順次送信されるものであれば他の如何なる通信データにも本発明を適用することができる。
【符号の説明】
【００８３】
１  移動体通信システム、１０  移動局装置、１１  無線送受信部、１２  通信データ取得部、１３  受信確認生成部、１４  基地局装置特定部、１５  ハンドオーバ決定部、２０  基地局装置、２１  有線送受信部、２２  通信データ取得部、２３  無線送受信部、３０  ＰＤＳＮ、４０  通信ネットワーク、５０  ハンドオーバ元機能部、５１  基地局装置特定情報受信部、５２  最後送信通信データ情報送信部、６０  ハンドオーバ先機能部、６１  ハンドオーバ仮登録要求受信部、６２  一時記憶部、６３  ハンドオーバ要求受信部、６４  最後送信通信データ情報受信部。
【図１】
2011010364.tif 000003
【図２】
2011010364.tif 000004
【図３】
2011010364.tif 000005